【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
有線通信プロトコルを用いた、リモート処理装置とローカル処理装置の間の通信の適合性を維持しつつ、遠隔無線トンネリング装置とともに動作し、前記リモート処理装置と前記ローカル処理装置の間の通信を無線トンネリングする局所無線トンネリング装置であって、
遠隔無線トンネリング装置から無線受信信号を受信し、前記無線受信信号をダウンコンバートし、前記無線受信信号からベースバンド信号を生成するように構成された無線受信機と、
前記ベースバンド信号および前記ローカル処理装置の１つ以上の以前のローカル処理状態に基づき、前記リモート処理装置の遠隔処理状態を予測するように構成された処理コンポーネント状態機械と、
前記ローカル処理装置に連結され、（ｉ）前記予測された遠隔処理状態と前記ベースバンド信号に基づき、前記有線通信プロトコルに準拠した出力信号を生成し、（ｉｉ）前記有線通信プロトコルを通じて、前記ローカル処理装置に前記出力信号を提供するように構成されたインタフェース回路とを備える局所無線トンネリング装置。
【請求項２】
請求項１に記載の局所無線トンネリング装置において、
（ｉ）前記ローカル処理装置から入力信号を受信して、他のベースバンド信号を生成し、（ｉｉ）前記他のベースバンド信号をアップコンバートして、無線送信信号を生成し、（ｉｉｉ）前記無線送信信号を送信するように構成された無線送信機をさらに備える局所無線トンネリング装置。
【請求項３】
請求項２に記載の局所無線トンネリング装置において、
前記処理コンポーネント状態機械は、
（ａ）前記処理コンポーネント状態機械の現在の状態、
（ｂ）前記ローカル処理装置から受信した入力、及び
（ｃ）前記予測された遠隔処理状態、
のうちの１つ以上に基づき、前記受信機又は前記送信機の電力状態を制御する局所無線トンネリング装置。
【請求項４】
請求項２に記載の局所無線トンネリング装置において、
前記処理コンポーネント状態機械は、さらに、前記ローカル処理装置の１つ以上のローカル処理状態を前記処理コンポーネント状態機械の一つの状態にマッピングし、前記一つの状態に基づき、前記ローカル処理装置のローカル処理状態を示す状態信号を生成するように構成され、前記送信機は、前記ローカル処理装置の前記ローカル処理状態を示す前記状態信号と共に前記ベースバンド信号を符号化するように構成される局所無線トンネリング装置。
【請求項５】
請求項１に記載の局所無線トンネリング装置において、
自身の現在の状態と前記リモート処理装置の前記予測された遠隔処理状態に基づき、前記無線受信機の無線コンポーネント状態を判定するように構成された無線コンポーネント状態機械をさらに備える局所無線トンネリング装置。
【請求項６】
請求項５に記載の局所無線トンネリング装置において、
前記無線コンポーネント状態機械は、自身の現在の状態と前記リモート処理装置の前記予測された遠隔処理状態に基づいて判定された前記無線コンポーネント状態に応じて、前記無線受信機の動作モードを制御する記載の局所無線トンネリング装置。
【請求項７】
請求項６に記載の局所無線トンネリング装置において、
前記無線コンポーネント状態は、自身の現在の状態と前記予測された遠隔処理状態に基づいて判定される局所無線トンネリング装置。
【請求項８】
請求項１に記載の局所無線トンネリング装置において、
前記ベースバンド信号は、前記リモート処理装置の以前の状態を示す状態信号と共に符号化され、前記処理コンポーネント状態機械は、前記ベースバンド信号の前記状態信号に基づき、前記リモート処理装置の前記遠隔処理状態を予測するように構成される局所無線トンネリング装置。
【請求項９】
請求項１に記載の局所無線トンネリング装置において、
前記処理コンポーネント状態機械は、前記無線受信信号に対応する前記ベースバンド信号の一部に基づき、前記リモート処理装置の前記遠隔処理状態を予測するように構成される局所無線トンネリング装置。
【請求項１０】
有線通信プロトコルを用いた、ローカル処理装置とリモート処理装置の間の通信の適合性を維持しつつ、前記ローカル処理装置と前記リモート処理装置の間の通信を無線トンネリングする方法であって、
無線受信機により、遠隔無線トンネリング装置から無線受信信号を受信し、
前記無線受信機により、前記無線受信信号をダウンコンバートして、前記無線受信信号からベースバンド信号を生成し、
処理コンポーネント状態機械により、前記ベースバンド信号および前記ローカル処理装置の１つ以上の以前のローカル処理状態に基づき、前記リモート処理装置の遠隔処理状態を予測し、
前記ローカル処理装置に連結されたインタフェース回路により、前記予測された遠隔処理状態と前記ベースバンド信号に基づき、前記有線通信プロトコルに準拠した出力信号を生成し、
前記インタフェース回路により、前記有線通信プロトコルを通じて、前記ローカル処理装置に前記出力信号を提供することを備える方法。
【請求項１１】
請求項１０に記載の方法において、
無線送信機により、前記ローカル処理装置から入力信号を受信して、他のベースバンド信号を生成し、
前記無線送信機により、前記他のベースバンド信号をアップコンバートして、無線送信信号を生成し、
前記無線送信機により、前記無線送信信号を送信することをさらに備える方法。
【請求項１２】
請求項１１に記載の方法において、
前記処理コンポーネント状態機械により、
（ａ）前記処理コンポーネント状態機械の現在の状態、
（ｂ）前記ローカル処理装置から受信した入力、及び
（ｃ）前記予測された遠隔処理状態、
のうちの１つ以上に基づき、前記受信機又は前記送信機の電力状態を制御することをさらに備える方法。
【請求項１３】
請求項１１に記載の方法において、
前記処理コンポーネント状態機械により、前記ローカル処理装置の１つ以上のローカル処理状態を前記処理コンポーネント状態機械の一つの状態にマッピングし、
前記処理コンポーネント状態機械により、前記一つの状態に基づき、前記ローカル処理装置のローカル処理状態を示す状態信号を生成し、
前記送信機により、前記ローカル処理装置の前記ローカル処理状態を示す前記状態信号と共に前記ベースバンド信号を符号化することをさらに備える方法。
【請求項１４】
請求項１０に記載の方法において、
無線コンポーネント状態機械により、前記リモート処理装置の前記予測された遠隔処理状態に基づき、前記無線受信機の無線コンポーネント状態を判定することをさらに備える方法。
【請求項１５】
請求項１４に記載の方法において、
前記無線コンポーネント状態機械により、前記リモート処理装置の前記予測された遠隔処理状態に基づいて判定された前記無線コンポーネント状態に応じて、前記無線受信機の動作モードを制御することをさらに備える方法。
【請求項１６】
請求項１５に記載の方法において、
前記無線コンポーネント状態は、前記予測された遠隔処理状態に基づいて判定される方法。
【請求項１７】
請求項１０に記載の方法において、
前記ベースバンド信号は、前記リモート処理装置の以前の状態を示す状態信号と共に符号化され、前記処理コンポーネント状態機械は、前記ベースバンド信号の前記状態信号に基づき、前記リモート処理装置の前記遠隔処理状態を予測するように構成される方法。
【請求項１８】
請求項１０に記載の方法において、
前記処理コンポーネント状態機械は、前記無線受信信号に対応する前記ベースバンド信号の一部に基づき、前記リモート処理装置の前記遠隔処理状態を予測するように構成される方法。
【手続補正２】
【補正対象書類名】明細書
【補正対象項目名】０００６
【補正方法】変更
【補正の内容】
【０００６】
一実施形態において、局所無線トンネリング装置は、無線受信機と、処理コンポーネント状態機械と、インタフェース回路とを含む。無線受信機は、遠隔無線トンネリング装置から無線受信信号を受信し、無線受信信号をダウンコンバートして無線受信信号からベースバンド信号を生成するように構成される。処理コンポーネント状態機械は、ベースバンド信号および前記ローカル処理装置の１つ以上の以前のローカル処理状態に基づき、リモート処理装置の遠隔処理状態を予測するように構成される。インタフェース回路は、ローカル処理装置に連結され、（ｉ）予測された遠隔処理状態とベースバンド信号に基づき、有線通信プロトコルに準拠した出力信号を生成し、（ｉｉ）有線通信プロトコルを通じてローカル処理装置に出力信号を提供するように構成される。
【手続補正３】
【補正対象書類名】明細書
【補正対象項目名】００１２
【補正方法】変更
【補正の内容】
【００１２】
１つ以上の実施形態において、有線通信プロトコルを用いた、ローカル処理装置とリモート処理装置の間の通信の適合性を維持しつつ、ローカル処理装置とリモート処理装置の間の通信を無線でトンネリングする方法を開示する。この方法は、無線受信機により、遠隔無線トンネリング装置から無線受信信号を受信し、無線受信機により、無線受信信号をダウンコンバートして、無線受信信号からベースバンド信号を生成し、処理コンポーネント状態機械により、ベースバンド信号および前記ローカル処理装置の１つ以上の以前のローカル処理状態に基づき、リモート処理装置の遠隔処理状態を予測し、ローカル処理装置に連結されたインタフェース回路により、予測された遠隔処理状態とベースバンド信号に基づき、有線通信プロトコルに準拠した出力信号を生成し、インタフェース回路により、有線通信プロトコルを通じて、ローカル処理装置に出力信号を提供することを含む。